(57)【要約】【課題】電力変換部分をユニット化して挿脱可能とし、平滑用電解コンデンサの数を低減でき、スナバ回路を簡素化でき、また電解コンデンサの長寿命化と電力変換部分の十分な冷却が行えるようにした電力変換装置を提供することにある。【解決手段】電解コンデンサ４と直流導体５を備え、キャビネット２の収納空間中央部に左右方向に配置された平滑コンデンサ回路１ｆの下方側位置に、ＩＧＢＴ７を冷却フィン６上に載置してコンバータ回路１ｃを形成するＵ相、Ｖ相、Ｗ相の各電力変換ユニット３を、上方側位置に同構成のインバータ回路１ｉを形成する各電力変換ユニット３をそれぞれ前後方向に挿脱可能に収納し、各電力変換ユニット３の接続導体８を直流導体５に接続し、収納空間の前後方向に冷却風を流通させて電解コンデンサ４、各電力変換ユニット３の冷却を行う。【選択図】図１
2009239995.tif 000002
【特許請求の範囲】
【請求項１】
コンバータ回路、インバータ回路を形成するＵ相、Ｖ相、Ｗ相の各電力変換ユニットと、柱状の電解コンデンサを備える平滑コンデンサ回路をキャビネットの収納空間内に設け、該収納空間の前後方向に冷却風を流通させて前記各電力変換ユニット及び前記電解コンデンサを冷却するように構成した電力変換装置であって、
前記平滑コンデンサ回路は、軸方向を前後方向として前記電解コンデンサを左右方向に複数配列し、かつ該電解コンデンサの電極端子同士を左右方向に延在する直流導体で接続するようにして前記収納空間内中央部に配置されていると共に、前記収納空間内の前記平滑コンデンサ回路の上方側位置に、コンバータ回路とインバータ回路のいずれか一方の回路を形成するＵ相、Ｖ相、Ｗ相の各電力変換ユニットが前後方向に挿脱可能にして左右方向に配列、収納され、また前記平滑コンデンサ回路の下方側位置に、他方の回路を形成するＵ相、Ｖ相、Ｗ相の各電力変換ユニットが前後方向に挿脱可能にして左右方向に配列、収納され、前記各電力変換ユニットのコンバータ回路又はインバータ回路の接続導体と前記直流導体とが、ユニット挿脱によって接離するように形成されていることを特徴とする電力変換装置。
【請求項２】
前記直流導体は、Ｐ極導体とＮ極導体を有する挿脱方向の断面形状が略コ形状のもので、前記各電力変換ユニットの挿着後に前記接続導体との結合がおこなわれるものであることを特徴とする請求項１記載の電力変換装置。
【請求項３】
前記コンバータ回路又は前記インバータ回路を形成するＵ相、Ｖ相、Ｗ相の前記各電力変換ユニットは、全てが冷却フィン上に半導体素子を載置し、該半導体素子上に挿脱方向の断面形状が略コ形状のＰ極導体、Ｎ極導体を有する前記接続導体を固着した同一構成のものであることを特徴とする請求項１記載の電力変換装置。
【請求項４】
前記冷却フィンは、挿脱方向に冷却風が流通する流路を有するものであることを特徴とする請求項３記載の電力変換装置。
【発明の詳細な説明】
【技術分野】
【０００１】
本発明は、強制風冷式の電力変換部分を備える、例えば無停電電源装置や変換装置、ドライブ装置などの電力変換装置に関する。
【背景技術】
【０００２】
周知の通り、電力変換装置には、その核となる電力変換部分を半導体素子による交流を直流に変換するコンバータ回路と、変換した直流を再び交流へと変換するインバータ回路とで構成したものがある。これら回路においては、半導体素子の高速スイッチングによりサージ電圧が発生するので、それを制御するためのスナバ回路や平滑コンデンサ回路を必要としたり、あるいはサージ電圧が発生する直流部分を低インダクタンス化してサージ電圧そのものを低減させたりする必要がある。また、半導体素子そのものからも多大な熱損失が発生するため、例えば冷却フィンを用いて放熱するようにして半導体素子を冷却する必要がある。
【０００３】
一方、電力変換装置をキャビネット内に電力変換部分を収納して構成する場合、装置の組立性や半導体素子に破損等が生じた際の交換の作業性を考慮して、通常ユニット化することが多い。また、その場合においても、上記の各必要とされる機能を満たしつつ、ユニット化した電力変換部分をキャビネット内にどのように収納、配置するかが重要な事項となる。
【０００４】
こうしたなか、従来の電力変換装置の構成について、図面を参照して説明する。
【０００５】
先ず第１の従来技術を図６乃至図９を参照して説明する。図６は電力変換装置の要部の正面図であり、図７は電力変換装置の要部の側面図であり、図８は電力変換ユニットの正面図であり、図９は電力変換ユニットの側面図である。
【０００６】
図において、電力変換装置１０１は、キャビネット１０２の収納空間内に、横並びにコンバータ回路１０３ｃとインバータ回路１０３ｉを配置して構成されたＵ相、Ｖ相、Ｗ相の電力変換ユニット１０３が、それぞれ実線矢印Ｘで示す正面方向（図６における紙面直交方向）に挿脱可能となるように横並びに収納、配置されている。さらに、キャビネット１０２の収納空間内には、各電力変換ユニット１０３の図６における紙面に平行な方向の下方側位置に、Ｕ相、Ｖ相、Ｗ相の各電力変換ユニット１０３に対して共通の円柱状をなす５個の平滑コンデンサ回路の電解コンデンサ１０４が、柱軸方向を正面方向とするようにして横並びに立設されており、また各電解コンデンサ１０４の頂部に設けられた電極端子を接続するように直流導体１０５が横架され、この直流導体１０５に各電力変換ユニット１０３の接続端子が接続されている。
【０００７】
また、コンバータ回路１０３ｃとインバータ回路１０３ｉを備える各電力変換ユニット１０３は、冷却フィン１０６上に８個の制御極付きの半導体素子であるＩＧＢＴ１０７を格子状に載置して構成されている。さらに、各ＩＧＢＴ１０７の端子上にはスナバ回路のスナバコンデンサ１０８が配置され、隣り合う２個のスナバコンデンサ１０８の上方位置にスナバ抵抗１０９が配置された構成となっている。
【０００８】
またさらに、電力変換装置１０１は、キャビネット１０２の収納空間内の下方側位置から上方に向け、破線矢印Ｙで示すように、冷却風を各電解コンデンサ１０４の間を通して各電力変換ユニット１０３の冷却フィン１０６に流通させ、電解コンデンサ１０４を冷却すると共に、ＩＧＢＴ１０７での発生熱を放熱させるよう構成されている。
【０００９】
このように構成されたものでは、コンバータ回路１０３ｃとインバータ回路１０３ｉを備えるＵ相、Ｖ相、Ｗ相の各電力変換ユニット１０３に対し、電解コンデンサ１０４を共用化することで設ける数を少なくできる。しかし、ＩＧＢＴ１０７が格子状に配置されているので、横並びの電解コンデンサ１０４に対する距離に遠近が生じ、直流部分のインダクタンスを低くすることができないため、スナバ回路のスナバコンデンサ１０８とスナバ抵抗１０９が必要となる。また、冷却風の流通方向に対し、上流に電解コンデンサ１０４が位置し、下流にＩＧＢＴ１０７が２段に配列されているため、電解コンデンサ１０４は十分に冷却されて使用寿命を長くすることができるが、ＩＧＢＴ１０７は下段のものよりも、さらに上段のものの方が冷却され難くなる。
【００１０】
さらに、第２の従来技術を図１０乃至図１２を参照して説明する。図１０は電力変換装置の要部の正面図であり、図１１は電力変換ユニットの斜視図であり、図１２は電力変換ユニットの上面図である。
【００１１】
図において、電力変換装置１１１は、キャビネット１１２の収納空間内に、コンバータ回路を備えたＵ相、Ｖ相、Ｗ相の各交直変換用電力変換ユニット１１３と、インバータ回路を備えたＵ相、Ｖ相、Ｗ相の各直交変換用電力変換ユニット１１４とが、直流導体１１５を間に設けるようにして図１０における左右両側に、それぞれ破線矢印Ｚで示す正面方向（図１０における紙面直交方向）に挿脱可能となるように収納、配置されている。
【００１２】
また、Ｕ相、Ｖ相、Ｗ相の各交直変換用電力変換ユニット１１３及び各直交変換用電力変換ユニット１１４は、ユニット基台１１６上の引出方向後側部分に、４個の制御極付きの半導体素子であるＩＧＢＴ１０７が冷却フィン１１７上に載置されるようにして横方向に一列に配置されている。そして、各ＩＧＢＴ１０７の端子上にはスナバ回路のスナバコンデンサ１１８が設けられている。
【００１３】
さらに、ユニット基台１１６の各ＩＧＢＴ１０７の引出方向前側部分には、８個の円柱状をなす平滑コンデンサ回路の電解コンデンサ１０４が、各ＩＧＢＴ１０７に対応する２個ずつが前後となるように立設されている。また電解コンデンサ１０４の上方側には、各電解コンデンサ１０４の電極端子同士を接続すると共に、各ＩＧＢＴ１０７とも接続するように接続導体１１９が設けられており、各電力変換ユニット１１３，１１４をキャビネット１１２内に挿入したときに、接続導体１１９を直流導体１１５に接続できるようになっている。
【００１４】
またさらに、電力変換装置１１１は、キャビネット１１２の正面側から破線矢印Ｚで示す方向（図１２における紙面の下側から上側方向）に、冷却風を各平滑用の電解コンデンサ１０４の間を通して各電力変換ユニット１１３，１１４が載置されている冷却フィン１１７に流通させ、電解コンデンサ１０４を冷却すると共に、ＩＧＢＴ１０７での発生熱を放熱させるよう構成されている。なお、１２０は各電力変換ユニット１１３，１１４を挿脱するための把手である。
【００１５】
そして、このように構成されたものでは、ＩＧＢＴ１０７と電解コンデンサ１０４との間の距離が近く、直流部分のインダクタンスを低くすることができるので、スナバ回路はスナバコンデンサ１１８を小さくすることができ、スナバ抵抗が不要となる。しかし、ユニット化して挿脱可能のものとしているので、Ｕ相、Ｖ相、Ｗ相の各交直変換用電力変換ユニット１１３と各直交変換用電力変換ユニット１１４にそれぞれ電解コンデンサ１０４が設けることになり、電力変換ユニット１１３，１１４間で電解コンデンサ１０４を共用化してその数を少なくするということができない。
【発明の開示】
【発明が解決しようとする課題】
【００１６】
上記のような状況に鑑みて本発明はなされたもので、その目的とするところはコンバータ回路とインバータ回路を形成する電力変換部分がユニット化されて挿脱可能であると共に、サージ電圧を吸収する平滑用の電解コンデンサの数を低減することができ、かつスナバ回路を簡素化でき、さらに電解コンデンサの長寿命化を図ることと電力変換部分を十分に冷却することができる電力変換装置を提供することにある。
【課題を解決するための手段】
【００１７】
本発明の電力変換装置は、コンバータ回路、インバータ回路を形成するＵ相、Ｖ相、Ｗ相の各電力変換ユニットと、柱状の電解コンデンサを備える平滑コンデンサ回路をキャビネットの収納空間内に設け、該収納空間の前後方向に冷却風を流通させて前記各電力変換ユニット及び前記電解コンデンサを冷却するように構成した電力変換装置であって、前記平滑コンデンサ回路は、軸方向を前後方向として前記電解コンデンサを左右方向に複数配列し、かつ該電解コンデンサの電極端子同士を左右方向に延在する直流導体で接続するようにして前記収納空間内中央部に配置されていると共に、前記収納空間内の前記平滑コンデンサ回路の上方側位置に、コンバータ回路とインバータ回路のいずれか一方の回路を形成するＵ相、Ｖ相、Ｗ相の各電力変換ユニットが前後方向に挿脱可能にして左右方向に配列、収納され、また前記平滑コンデンサ回路の下方側位置に、他方の回路を形成するＵ相、Ｖ相、Ｗ相の各電力変換ユニットが前後方向に挿脱可能にして左右方向に配列、収納され、前記各電力変換ユニットのコンバータ回路又はインバータ回路の接続導体と前記直流導体とが、ユニット挿脱によって接離するように形成されていることを特徴とするものである。
【００１８】
さらに、前記直流導体は、Ｐ極導体とＮ極導体を有する挿脱方向の断面形状が略コ形状のもので、前記各電力変換ユニットの挿着後に前記接続導体との結合がおこなわれるものであることを特徴とするものであり、
さらに、前記コンバータ回路又は前記インバータ回路を形成するＵ相、Ｖ相、Ｗ相の前記各電力変換ユニットは、全てが冷却フィン上に半導体素子を載置し、該半導体素子上に挿脱方向の断面形状が略コ形状のＰ極導体、Ｎ極導体を有する前記接続導体を固着した同一構成のものであることを特徴とするものであり、
さらに、前記冷却フィンは、挿脱方向に冷却風が流通する流路を有するものであることを特徴とするものである。
【発明の効果】
【００１９】
本発明によれば、各電力変換部分がユニット化され挿脱可能であり、平滑用の電解コンデンサの数が低減でき、かつスナバ回路を必要とせず、また電力変換部分と電解コンデンサを十分に冷却することができ、電解コンデンサの長寿命化を図ることができる等の効果を奏する。
【発明を実施するための最良の形態】
【００２０】
以下本発明の一実施形態を、図１乃至図５を参照して説明する。図１は電力変換装置の要部の正面図であり、図２は電力変換装置の要部の側面図であり、図３は電力変換装置の要部の斜視図であり、図４は電力変換ユニットの斜視図であり、図５は電力変換部の回路図である。
【００２１】
図１において、電力変換装置１は、前面側に開口を有するキャビネット２の収納空間内に後面側に後面に沿って取付基板２ａを設け、収納空間内に図５に示す交直変換、直交変換を行う電力変換回路１ａのコンバータ回路１ｃ、インバータ回路１ｉを形成するＵ相、Ｖ相、Ｗ相の各電力変換ユニット３を、破線両矢印Ａで示す前後方向（図１における紙面直交方向）のガイド（図示せず）に沿い前面の開口を介してそれぞれ前後方向に挿脱可能に収納、配置できるよう構成されている。また取付基板２ａには、電力変換回路１ａの平滑コンデンサ回路１ｆを形成する円柱状の８個の電解コンデンサ４が、その軸方向をキャビネット２の前後方向として取付基板２ａを貫通し、左右方向に一列に配列されるように取り付けられている。
【００２２】
また、キャビネット２の収納空間内の中央部には、各電解コンデンサ４の前方側となる端面部に設けられているＰ、Ｎ極のそれぞれの電極端子同士を接続する直流導体５が、左右方向に位置するように設けられている。この直流導体５は、Ｐ極導体５ｐとＮ極導体５ｎとの間に絶縁部分を設けて形成されており、さらに電極端子に接続する中間部分の上下両側部分が折り曲げられ、各電力変換ユニット３の挿脱方向の断面形状が略コ形状をなすように形成されている。
【００２３】
一方、コンバータ回路１ｃ、インバータ回路１ｉを形成するＵ相、Ｖ相、Ｗ相の各電力変換ユニット３は、いずれも同一構成のもので、図２、図３、図４に示すように構成されている。すなわち、電力変換ユニット３は、挿脱方向に冷却風が流通する流路を有する冷却フィン６の上に２個の制御極付きの半導体素子であるＩＧＢＴ７が載置されている。
【００２４】
さらに２個のＩＧＢＴ７の上には、各ＩＧＢＴ７の対応する端子同士を接続するように、Ｐ極導体８ｐとＮ極導体８ｎとの間に絶縁部分を設けた接続導体８が取り付けられている。接続導体８は、電力変換ユニット３の挿脱方向の断面形状が略コ形状をなすように形成され、片方側部分において各ＩＧＢＴ７の端子同士を接続するようになっている。なお、９は冷却フィン６の挿脱方向前部左右に設けられたユニット挿脱用の把手である。
【００２５】
このように構成された電力変換ユニット３は、キャビネット２の収納空間内の中央部に配列された平滑コンデンサ回路１ｆの８個の電解コンデンサ４より下方側の空間内に、コンバータ回路１ｃのＵ相、Ｖ相、Ｗ相を構成するよう３個の電力変換ユニット３が、それぞれの接続導体８を直流導体５に当接するよう上側にして所定の位置にガイドにしたがって挿入される。
【００２６】
挿入によって、接続導体８の端子に接続されていない他方側部分のＰ極導体８ｐ、Ｎ極導体８ｎと、直流導体５の下側部分のＰ極導体５ｐ、Ｎ極導体５ｎとが当接し、さらに固定部１０でボルト等の固定具により固定され、例えば図１に示すように、図の左側から順にＵ相、Ｖ相、Ｗ相の各電力変換ユニット３が収納空間内に収納、配置される。
【００２７】
また、キャビネット２の収納空間内の配列された平滑コンデンサ回路１ｆの電解コンデンサ４より上方側の空間内には、インバータ回路１ｉのＵ相、Ｖ相、Ｗ相を構成するように３個の電力変換ユニット３が、それぞれ下方側空間に収納されたコンバータ回路１ｃの３個の電力変換ユニット３とは逆に、接続導体８が直流導体５に当接するよう下側にし、そして同相の電力変換ユニット３同士が直上方、直下方に位置するよう対象位置に、ガイドにしたがって挿入される。
【００２８】
挿入によって、同様に、接続導体８の端子に接続されていない他方側部分のＰ極導体８ｐ、Ｎ極導体８ｎと、直流導体５の上側部分のＰ極導体５ｐ、Ｎ極導体５ｎとが当接し、固定部１０においてボルト等の固定具により固定され、コンバータ回路１ｃ側と同様に、収納空間内に収納、配置される。
【００２９】
さらに、キャビネット２の収納空間内には、図示しない送風源によって、キャビネット２の正面側である前面側から後面側の破線矢印Ｚで示す方向（図２における紙面の左から右方向）に冷却風を、配列されている電解コンデンサ４の間や冷却フィン６の流路内を流通させ、電解コンデンサ４を直接冷却すると共に、冷却フィン６を冷却することでＩＧＢＴ７の発生熱を放熱させ、冷却するようになっている。
【００３０】
そして、電力変換装置１は、交直変換、直交変換を行う電力変換部１ａが上記の通り構成されているので、コンバータ回路１ｃ、インバータ回路１ｉを形成するＵ相、Ｖ相、Ｗ相の各電力変換ユニット３を、キャビネット２の収納空間の所定位置に挿脱することで、簡単に収納、配置したり、交換したりすることができ、組立性や交換時の作業性がよい。また、各電力変換ユニット３の全てを、１種類のユニットを準備するだけでまかなうことができ、部品の調達や管理、装置の保守管理がやり易いものとなる。
【００３１】
さらに、平滑コンデンサ回路１ｆの電解コンデンサ４を収納空間の中央部分に配し、その上方側、下方側位置にそれぞれコンバータ回路１ｃ、インバータ回路１ｉを形成するＵ相、Ｖ相、Ｗ相の各電力変換ユニット３とを略等距離となるように分けて配置したので、各電力変換ユニット３で電解コンデンサ４を共用することができ、その数を減ずることができる。また、電解コンデンサ４とＩＧＢＴ７とは、両者の距離が近くなり、低インダクタンス化された略コ形状の直流導体５及び接続導体８とで接続しているので、サージ電圧が低減され、スナバ回路が不要となる。
【００３２】
またさらに、電解コンデンサ４と各電力変換ユニット３のＩＧＢＴ７が載置された冷却フィン６は、直接冷却風によって冷却することができるため、電解コンデンサ４の温度上昇を抑制でき、電解コンデンサ４を長寿命化することができる。
【００３３】
なお、上記の実施形態においては、平滑コンデンサ回路１ｆの電解コンデンサ４を収納空間の中央部分に配し、その下方側の空間にコンバータ回路１ｃの各電力変換ユニット３を配し、上方側の空間にインバータ回路１ｉの各電力変換ユニット３を配する構成としたが、逆に、下方側の空間にインバータ回路１ｉの各電力変換ユニット３を配し、上方側の空間にコンバータ回路１ｃの各電力変換ユニット３を配するようにしてもよい。また、冷却風の流通方向も後面側から前面側の方向でもよい。
【図面の簡単な説明】
【００３４】
【図１】本発明の一実施形態である電力変換装置の要部の正面図である。
【図２】本発明の一実施形態である電力変換装置の要部の側面図である。
【図３】本発明の一実施形態である電力変換装置の要部の斜視図である。
【図４】本発明の一実施形態に係る電力変換ユニットの斜視図である。
【図５】本発明の一実施形態に係る電力変換部の回路図である。
【図６】第１の従来技術である電力変換装置の要部の正面図である。
【図７】第１の従来技術である電力変換装置の要部の側面図である。
【図８】第１の従来技術の電力変換装置に係る電力変換ユニットの正面図である。
【図９】第１の従来技術の電力変換装置に係る電力変換ユニットの側面図である。
【図１０】第２の従来技術である電力変換装置の要部の正面図である。
【図１１】第２の従来技術の電力変換装置に係る電力変換ユニットの斜視図である。
【図１２】第２の従来技術の電力変換装置に係る電力変換ユニットの上面図である。
【符号の説明】
【００３５】
１…電力変換装置
１ｃ…コンバータ回路
１ｉ…インバータ回路
１ｆ…平滑コンデンサ回路
２…キャビネット
３…電力変換ユニット
４…電解コンデンサ
５…直流導体
６…冷却フィン
７…ＩＧＢＴ
８…接続導体
【図１】
2009239995.tif 000003
【図２】
2009239995.tif 000004
【図３】
2009239995.tif 000005
【図４】
2009239995.tif 000006
【図５】
2009239995.tif 000007
【図６】
2009239995.tif 000008
【図７】
2009239995.tif 000009
【図８】
2009239995.tif 000010
【図９】
2009239995.tif 000011
【図１０】
2009239995.tif 000012
【図１１】
2009239995.tif 000013
【図１２】
2009239995.tif 000014